(57)【要約】【課題】ユーザーの負担を軽減できる折り畳み印刷物を提供する。【解決手段】折り畳み印刷物１は、左側印刷部位１１と右側印刷部位１２との間の折り線２ａで折り畳み可能な印刷部２と、印刷部２に設けられた表示部４と、表示部４に電力を供給する電源部５と、表示部４と電源部とを接続する配線７と、表示部４のオン・オフを切り替えるスイッチ８とを備えている。スイッチ８は、左側印刷部位１１側で且つ配線７に形成され、互いに絶縁された導電性の一対の接点部４１、４２と、右側印刷部位１２に一端部が取り付けられ、他端側が左側印刷部位１１まで延び、他端側に導電性の接続部４７が形成され、印刷部が開かれると、一対の接点部４１、４２を接続する位置に接続部４７をスライドさせるスライド部４３とを有する。【選択図】図１
2010240878.tif 000002
【特許請求の範囲】
【請求項１】
第１印刷部位と第２印刷部位との間の折り線で折り畳み可能な印刷部と、
前記印刷部に設けられたＥＬ発光部と、
前記ＥＬ発光部に電力を供給する電源部と、
前記ＥＬ発光部と前記電源部とを接続する配線と、
前記ＥＬ発光部のオン・オフを切り替えるスイッチとを備え、
前記スイッチは、
前記第１印刷部位側で且つ前記配線に形成され、互いに絶縁された導電性の一対の第１接点部と、
前記第２印刷部位に一端部が取り付けられ、他端側が前記第１印刷部位まで延び、前記他端側に導電性の第１接続部が形成され、前記印刷部が開かれると、前記一対の第１接点部を接続する位置に前記第１接続部をスライドさせるスライド部とを有することを特徴とする折り畳み印刷物。
【請求項２】
前記スライド部は、前記第１接続部とは絶縁された第２接続部を有することを特徴とする請求項１に記載の折り畳み印刷物。
【請求項３】
前記第１印刷部位側に互いに間隔を開けて形成され、前記第２接続部によって接続される導電性の一対の第２接点部を備えていることを特徴とする請求項１または請求項２に記載の折り畳み印刷物。
【請求項４】
取り替え可能な複数のスライド部を有し、
前記各スライド部の第１接続部は、異なる位置または形状に形成されていることを特徴とする請求項１〜請求項３のいずれか１項に記載の折り畳み印刷物。
【請求項５】
前記スライド部は、紙または樹脂からなる基材を有し、
前記第１接続部は、前記基材に塗布され導電性材料を含むことを特徴とする請求項１〜請求項４のいずれか１項に記載の折り畳み印刷物。
【発明の詳細な説明】
【技術分野】
【０００１】
本発明は、オン・オフを切り替えるスイッチを有する折り畳み印刷物に関する。
【背景技術】
【０００２】
現在、オルゴールや発光部品等の電子部品を有するメッセージカード等の折り畳み印刷物が知られている。
【０００３】
特許文献１には、揺動式のスイッチを備えた開閉式のメッセージカードが開示されている。特許文献１の技術は、メッセージカードに印刷された第１接続ライン及び第２接続ラインと、メッセージカードに揺動自在に設けられた揺動部材に形成された第３接続ラインとを備えている。
【０００４】
特許文献１のメッセージカードでは、メッセージカードを開けた状態で、揺動部材を揺動させることによって、第２接続ラインと第３接続ラインとを接続または断線に切り替えることができる。これにより、ユーザーは、メッセージカードのオン・オフを切り替えることができる。
【先行技術文献】
【特許文献】
【０００５】
【特許文献１】特開２００３−１０３９６９号公報
【発明の概要】
【発明が解決しようとする課題】
【０００６】
しかしながら、特許文献１のメッセージカードでは、ユーザーが、メッセージカードの開閉とは別に揺動式のスイッチを操作しなければならないので、ユーザーの負担が大きいといった課題がある。
【０００７】
本発明は、上述した課題を解決するために創案されたものであり、ユーザーの負担を軽減できる折り畳み印刷物を提供することを目的としている。
【課題を解決するための手段】
【０００８】
請求項１の発明は、第１印刷部位と第２印刷部位との間の折り線で折り畳み可能な印刷部と、前記印刷部に設けられたＥＬ発光部と、前記ＥＬ発光部に電力を供給する電源部と、前記ＥＬ発光部と前記電源部とを接続する配線と、前記ＥＬ発光部のオン・オフを切り替えるスイッチとを備え、前記スイッチは、前記第１印刷部位側で且つ前記配線に形成され、互いに絶縁された導電性の一対の第１接点部と、前記第２印刷部位に一端部が取り付けられ、他端側が前記第１印刷部位まで延び、前記他端側に導電性の第１接続部が形成され、前記印刷部が開かれると、前記一対の第１接点部を接続する位置に前記第１接続部をスライドさせるスライド部とを有することを特徴とする。
【０００９】
請求項２の発明は、前記スライド部は、前記第１接続部とは絶縁された第２接続部を有することを特徴とする。
【００１０】
請求項３の発明は、前記第１印刷部位側に互いに間隔を開けて形成され、前記第２接続部によって接続される導電性の一対の第２接点部を備えていることを特徴とする。
【００１１】
請求項４の発明は、取り替え可能な複数のスライド部を有し、前記各スライド部の第１接続部は、異なる位置または形状に形成されていることを特徴とする。
【００１２】
請求項５の発明は、前記スライド部は、紙または樹脂からなる基材を有し、前記第１接続部は、前記基材に塗布され導電性材料を含むことを特徴とする。
【発明の効果】
【００１３】
本発明によれば、印刷部の開閉とともに、スライド部が第１接続部をスライドさせる。これにより、第１接続部によって一対の第１接点部が接続されて、オン・オフを切り替えるので、ユーザーの負担を軽減することができる。
【図面の簡単な説明】
【００１４】
【図１】第１実施形態による折り畳み印刷物の全体斜視図である。
【図２】表示部の分解斜視図である。
【図３】スイッチの分解斜視図である。
【図４】印刷部が折り畳まれた状態における、スイッチ近傍の平面図である。
【図５】印刷部を開いた状態における、スイッチ近傍の平面図である。
【図６】第２実施形態によるスイッチの分解斜視図である。
【図７】印刷部が折り畳まれた状態における、第３実施形態によるスイッチ近傍の平面図である。
【図８】印刷部を開いた状態における、第３実施形態によるスイッチ近傍の平面図である。
【発明を実施するための形態】
【００１５】
（第１実施形態）
以下、図面を参照して、本発明による第１実施形態について説明する。図１は、第１実施形態による折り畳み印刷物の全体斜視図である。図２は、表示部の分解斜視図である。図３は、スイッチの分解斜視図である。以下の説明において、図１の矢印で示す左右を左右方向とする。
【００１６】
図１に示すように、第１実施形態による折り畳み印刷物１は、印刷部２と、ポップアップ部３と、表示部（請求項のＥＬ発光部に相当）４と、電源部５と、配線６、７と、スイッチ８とを備えている。
【００１７】
印刷部２は、中央の折り線２ａで折り畳み可能に構成されている。印刷部２は、長方形の紙によって構成されている。印刷部２は、折り線２ａよりも左側の左側印刷部位１１と、折り線２ａよりも右側の右側印刷部位１２とを有する。尚、左側印刷部位１１が請求項の第１印刷部位に相当し、右側印刷部位１２が請求項の第２印刷部位に相当する。
【００１８】
ポップアップ部３は、左側印刷部位１１と右側印刷部位１２とにわたって、印刷部２に設けられている。ポップアップ部３は、印刷部２が折り畳まれている状態では、印刷部２とともに、折り線３ａに沿って折り畳まれる。一方、印刷部２が広げられると、図１に示すように、立体的に起き上がり図柄（例えば、パンダ）を形成する。
【００１９】
表示部４は、ＥＬ（エレクトロルミネッセンス）発光によってメッセージ（例えば、「ＨＡＰＰＹ  ＢＩＲＴＨＤＡＹ！！」）を表示するものである。表示部４は、印刷部２の左側印刷部位１１に設けられている。図２に示すように、表示部４は、背面電極２１と、誘電体層２２と、発光層２３と、透明電極２４と、保護層２５とを備えている。
【００２０】
背面電極２１は、左側印刷部位１１上に印刷されている。背面電極２１は、導電性のカーボンをポリエステル系樹脂に分散させた材料からなる。尚、カーボンの代わりに銀等の導電性材料を分散させてもよい。背面電極２１は、約１０μｍの厚みを有する。
【００２１】
背面電極２１は、一対の電極部２６、２７を備えている。電極部２６、２７は、平面視において、櫛歯状に形成されている。電極部２６の歯は、電極部２７の歯と歯の間に位置するように配置される。電極部２７の歯は、電極部２６の歯と歯の間に位置するように配置される。電極部２６と電極部２７は、互いに電気的に絶縁されている。電極部２６は配線６を介して、電源部５に接続されている。電極部２７は配線７を介して、電源部５に接続されている。
【００２２】
誘電体層２２は、背面電極２１と発光層２３とを絶縁するためのものである。誘電体層２２は、背面電極２１を覆うように略長方形状に形成されている。誘電体層２２は、チタン酸バリウム粉をフッ素ゴム系樹脂に分散させた材料からなる。ここで誘電体層２２は、印刷部２と同じ色で構成することが好ましい。誘電体層２２は、約２０μｍの厚みを有する。
【００２３】
発光層２３は、ＥＬ発光するものである。発光層２３は、誘電体層２２上の略全面に形成されている。発光層２３は、ＺｎＳ系の蛍光体粉をフッ素ゴム系樹脂に分散させた材料からなる。発光層２３の蛍光体として、ＺｎＳ系の蛍光体粉以外の無機ＥＬ材料を採用してもよい。発光層２３は、約２５μｍの厚みを有する。
【００２４】
透明電極２４は、発光層２３で発光される光をパターニングするものである。透明電極２４は、発光層２３上に所望のパターン（ＨＡＰＰＹ  ＢＩＲＴＨＤＡＹ！！）で形成されたＩＴＯ（インジウム・スズ酸化物）からなる。透明電極２４は、発光層２３で発光された光を透過可能に構成されている。透明電極２４は、誘電体層２２によって背面電極２１から絶縁されている。
【００２５】
保護層２５は、背面電極２１〜透明電極２４を保護するためのものである。保護層２５は、透明電極２４上に形成されている。保護層２５は、ポリエステル系樹脂からなる。
【００２６】
電源部５は、表示部４に交流電力を供給するためのものである。電源部５は、印刷部２に貼り付けられている。電源部５は、回路部３１と、蓄電部３２とを備えている。
【００２７】
回路部３１は、蓄電部３２から供給される直流電力を交流電力に変換して、表示部４に供給するドライバ回路である。具体的には、回路部３１は、蓄電部３２から供給される直流電力を２００Ｖ〜３００Ｖの電圧を有し、約１ＫＨｚの周波数を有する交流電力に変換する。回路部３１は、インバーター等を含む。回路部３１は、配線６、７を介して、表示部４の背面電極２１に接続されている。
【００２８】
蓄電部３２は、回路部３１へと直流電力を供給するものである。蓄電部３２は、特に限定されるものではないが、ボタン型の小型電池等を適用することができる。また、折り畳み印刷物１を使い捨てとして使用する場合は、表示部４を数回発光可能な程度の電荷を蓄電したキャパシタ等を蓄電部３２として適用してもよい。
【００２９】
一対の配線６、７は、表示部４と電源部５とを接続するためのものである。配線６、７は、印刷部２に印刷法によって形成されている。配線６、７は、導電性のカーボンをポリエステル系樹脂に分散させた材料からなる。即ち、配線６、７は、背面電極２１と同じ材料からなり、背面電極２１と一体的に形成されている。
【００３０】
配線６は、背面電極２１の電極部２６と電源部５と接続する。配線７は、背面電極２１の電極部２７と電源部５とを接続する。図３に示すように、配線７は、途中部が切断されて、電源部５側の配線部７ａと表示部４側の配線部７ｂに分割されている。
【００３１】
スイッチ８は、印刷部２の開閉に伴って、表示部４のオン・オフを切り替えるものである。図３に示すように、スイッチ８は、一対の接点部４１、４２と、スライド部４３と、押圧部４４とを備えている。
【００３２】
一対の接点部４１、４２は、左側印刷部１１上であって、配線７の配線部７ａ、７ｂと一体的に形成されている。一対の接点部４１、４２は、導電性を有する。接点部４１は、配線部７ａの先端に形成されている。接点部４２は、配線部７ｂの先端に形成されている。接点部４１と接点部４２は、間隔を開けて形成されている。これにより、接点部４１と接点部４２は、互いに絶縁されている。
【００３３】
スライド部４３は、接点部４１、４２上をスライドして、一対の接点部４１、４２を接続及び断線する。これにより、スライド部４３は、表示部４のオン・オフを切り替える。スライド部４３は、基材４６と、接続部４７とを有する。
【００３４】
基材４６は、長方形状の柔軟性を有する紙からなる。尚、基材４６は、柔軟性を有する樹脂等によって構成してもよい。基材４６の右端部は、右側印刷部位１２に取り付けられている。この取り付けられた領域（以下、取り付け領域）４６ａは、印刷部２を折り畳んだ際に、接点部４１、４２と重なる位置またはその近傍となる位置である。即ち、取り付け領域４６ａと折り線２ａとの距離は、接点部４１、４２と折り線２ａとの距離と略等しい。基材４６の左側は、左側印刷部位１１まで延びるように形成されている。基材４６の左側は、固定されていない。これにより、基材４６の左側は、印刷部２の開閉に伴って、接点部４１、４２上を左右方向にスライドする。
【００３５】
接続部４７は、基材４６の左端部近傍に印刷されている。接続部４７は、導電性のカーボンをポリエステル系樹脂に分散させた材料からなる。接続部４７は、接点部４１と接点部４２との間の間隔よりも長く形成されている。接続部４７は、印刷部２が開けられた際に、接点部４１、４２の上に配置される位置に形成されている。
【００３６】
押圧部４４は、スライド部４３の接続部４７を接点部４１、４２へと押圧するためのものである。押圧部４４は、樹脂からなる。押圧部４４は、スライド部４３の一部を覆うように設けられている。押圧部４４の両端部４４ａ、４４ｂは、印刷部２に貼り付けられて固定されている。押圧部４４の中央部は、スライド部４３をスライドさせるために貼り付けられていない。押圧部４４の接点部４１、４２と対向する領域には、凸部４８が形成されている。
【００３７】
次に、上記した第１実施形態の作用について説明する。図４は、印刷部が折り畳まれた状態における、スイッチ近傍の平面図である。図５は、印刷部を開いた状態における、スイッチ近傍の平面図である。尚、図４及び図５では、右側印刷部位１２及び押圧部４４を省略している。
【００３８】
まず、印刷部２が折り畳まれた状態では、図４に示すように、スライド部４３の取り付け領域４６ａが、略接点部４１、４２の上に配置される。これにより、スライド部４３の接続部４７は、接点部４１、４２よりも左側にスライドされて、接続部４７は、接点部４１、４２と異なる位置に配置される。この結果、接点部４１と接点部４２は、絶縁される。
【００３９】
次に、図１に示すように、印刷部２が開かれると、ポップアップ部３が立ち上がる。また、印刷部２が開かれることによって、スライド部４３の取り付け領域４６ａが、接点部４１、４２から離れる。これにより、スライド部４３が、押圧部４４と接点部４１、４２との間を右方向にスライドする。そして、印刷部２が完全に開くと、図５に示すように、接続部４７は、平面視にて、接点部４１、４２と同じ位置まで移動する。これにより、接点部４１と接点部４２とが、接続部４７によって接続される。この結果、電源部５からの交流電力が、表示部４の背面電極２１の電極部２６、２７に供給される。
【００４０】
これにより、電極部２６と透明電極２４との間に交流電界が生じるとともに、電極部２７と透明電極２４との間に交流電界が生じる。そして、電極部２６、２７と透明電極２４との間の発光層２３の蛍光体の電荷が励起されて、光を発光する。この結果、表示部４では、「ＨＡＰＰＹ  ＢＩＲＴＨＤＡＹ！！」が表示される。
【００４１】
次に、上述した第１実施形態による折り畳み印刷物１の製造方法について説明する。
【００４２】
まず、スクリーン印刷法によって、カーボン系導電性フィラーをポリエステル系樹脂に分散させたペーストを、背面電極２１及び配線６、７のパターンで、印刷部２上に印刷する。この後、約１３０℃〜約１７０℃で１０分〜２０分加熱することによってペーストを乾燥させて、背面電極２１及び接点部４１、４２を含む配線６、７を形成する。
【００４３】
次に、スクリーン印刷法によって、背面電極２１上にフッ素ゴム系樹脂にチタン酸バリウムを分散させたペーストを誘電体層２２のパターンで印刷する。この後、ペーストを約１００℃〜約１４０℃で数分〜数十分加熱することによって、乾燥させる。この工程を複数繰り返すことによって、多層構造の誘電体層２２を形成する。
【００４４】
次に、スクリーン印刷法によって、ＺｎＳ系の蛍光体をポリエステル系樹脂に分散させたペーストを誘電体層２２上に発光層２３のパターンで印刷する。この後、ペーストを約１００℃〜約１４０℃で数分加熱することによって乾燥させて、発光層２３を形成する。
【００４５】
次に、スクリーン印刷法によって、ＩＴＯインクを「Ｈａｐｐｙ  Ｂｉｒｔｈｄａｙ！！」のパターンで発光層２３上に印刷する。これにより、透明電極２４を形成する。
【００４６】
次に、ポリエステル系樹脂によって保護層２５を形成する。
【００４７】
これにより、表示部４及び配線６、７が完成する。
【００４８】
次に、スクリーン印刷法によって、基材４６にカーボン系導電性フィラーをポリエステル系樹脂に分散させたペーストを、接続部４７のパターンで塗布する。この後、約１３０℃〜約１７０℃で１０分〜２０分加熱することによってペーストを乾燥させて、接続部４７を形成して、スライド部４３を作成する。作成したスライド部４３を右側印刷部位１２の所定の位置に取り付ける。
【００４９】
また、別工程にて、射出成型によって押圧部４４を形成する。この後、押圧部４４を左側印刷部位１１上の所定の位置に貼り付ける。
【００５０】
次に、電源部５を左側印刷部位１１の所定の位置に設置する。その後、ポップアップ部３を印刷部２の所定の位置に折り線３ａをつけて設置する。
【００５１】
これにより、第１実施形態による折り畳み印刷物１が完成する。
【００５２】
上述したように第１実施形態による折り畳み印刷物１は、印刷部２の開閉に伴って、接続部４７をスライドさせるスライド部４３を有するスイッチ８を備えている。そして、スイッチ８は、接続部４７によって、接点部４１、４２を接続または断線させることにより、表示部４のオン・オフを切り替えることができる。これにより、ユーザーは、印刷部２を開くことによって、表示部４をオン状態にして発光させることができる。この結果、ユーザーは、印刷部２の開閉操作と別にスイッチ８を操作すること必要がないので、負担を軽減することができる。
【００５３】
また、折り畳み印刷物１では、接続部４７と接点部４１、４２とを紙からなる左側印刷部位１１及び基材４６に印刷しているので、半田付け等の金属加工が不要である。この結果、電子回路を含む複雑なスイッチを必要としないので、作成及び加工が容易であるとともに、軽量化を実現し、製造コストを低減できる。
【００５４】
（第２実施形態）
次に、上述した実施形態のスイッチの一部を変更した第２実施形態について、図面を参照して説明する。図６は、第２実施形態によるスイッチの分解斜視図である。尚、上述した実施形態と同様の構成には、同じ符号を付けて説明を省略する。
【００５５】
図６に示すように、第２実施形態によるスイッチ８Ａは、押圧部４４Ａに導電性の接続部４９が形成されている。接続部４９は、接続部４７Ａと配線部７ａの接点部４１とを接続するためのものである。接続部４７Ａにより、第２実施形態の配線部７ａは、第１実施形態に比べて短くすることができる。
【００５６】
スライド部４３Ａの接続部４７Ａは、基材４６の上下面にわたってカーボンペーストを染み込ませて形成されている。これにより、接続部４７Ａは、下面の接点部４２と上面の接続部４９とを接続することができる。
【００５７】
（第３実施形態）
次に、上述した実施形態のスイッチの一部を変更した第３実施形態について、図面を参照して説明する。図７は、印刷部が折り畳まれた状態における、第３実施形態によるスイッチ近傍の平面図である。図８は、印刷部を開いた状態における、第３実施形態によるスイッチ近傍の平面図である。図７及び図８では、右側印刷部位１２及び押圧部４４を省略している。また、図７及び図８では、便宜上、接続部をハッチングしている。上述した実施形態と同様の構成には、同じ符号を付けて説明を省略する。
【００５８】
図７及び図８に示すように、第３実施形態によるスイッチ８Ｂのスライド部４３Ｂは、２つの接続部４７Ｂａ、４７Ｂｂを備えている。また、二対の接点部４１、４２、４１Ｂ、４２Ｂが、２つの接続部４７Ｂａ、４７Ｂｂに対応して左側印刷部位１１に設けられている。ここで、接点部４１（４２）と接点部４１Ｂ（４２Ｂ）との間隔は、接続部４７Ｂａと接続部４７Ｂｂとの間隔と等しい。接点部４１Ｂ、４２Ｂは、配線７Ｂの配線部７Ｂａと配線部７Ｂｂの先端部に形成されている。接点部４１Ｂ、４２Ｂは、互いに絶縁するために、間隔を開けて配置されている。配線７Ｂは、ポップアップ部３のＥＬ発光部（図示略）と電源部５とを接続するためのものである。ここで、ポップアップ部３のＥＬ発光部は、例えば、図１に示すパンダの目の部分やパンダが持つ笹（ドットハッチング領域）等に設けることができる。尚、配線７は、第１実施形態と同様に表示部４と電源部５とを接続するためのものである。
【００５９】
次に、第３実施形態によるスイッチ８Ｂの作用について説明する。
【００６０】
まず、印刷部２が折り畳まれた状態では、図７に示すように、スライド部４３Ｂの取り付け領域（図示略）が、接点部４１、４２と接点部４１Ｂ、４２Ｂとの間に位置する。これにより、スライド部４３Ｂの接続部４７Ｂａ、４７Ｂｂは、接点部４１、４２よりも左側にスライドされて、接続部４７Ｂａ、４７Ｂｂは、接点部４１、４２及び接点部４１Ｂ、４２Ｂとは異なる位置に配置される。この結果、接点部４１と接点部４２は絶縁されるとともに、接点部４１Ｂと接点部４２Ｂは絶縁される。
【００６１】
次に、印刷部２が開かれると、スライド部４３Ｂの取り付け領域が、接点部４１、４２と接点部４１Ｂ、４２Ｂから離れる。これにより、スライド部４３Ｂが、接点部４１、４２、４１Ｂ、４２Ｂ上をスライドする。そして、印刷部２が完全に開くと、図８に示すように、平面視にて、接続部４７Ｂａは、接点部４１、４２と同じ位置まで移動するとともに、接続部４７Ｂｂは、接点部４１Ｂ、４２Ｂと同じ位置まで移動する。これにより、接点部４１と接点部４２とが、接続部４７Ｂａによって接続される。また、接点部４１Ｂと接点部４２Ｂとが、接続部４７Ｂｂによって接続される。この結果、電源部５からの交流電力が、表示部４及びポップアップ部３のＥＬ発光部に供給される。
【００６２】
第３実施形態によるスイッチ８Ｂは、印刷部２の開閉に伴って、２個所のオン・オフを切り替えることができるので、デザインの自由度を高めることができる。
【００６３】
また、第３実施形態によるスイッチ８Ｂでは、スイッチ８Ｂのスライド部４３Ｂが紙により構成されているので、容易に加工できる。これにより、ユーザーは、パンチ等によって接続部４７Ｂａ、４７Ｂｂの中間部に穴を開けて、どちらか一方を切断することができる。この結果、ユーザーの好みによって、表示部４やポップアップ部３のＥＬ発光部を発光及び非発光を選択することができるので、デザインの自由度を向上させることができる。
【００６４】
また、第１実施形態のスライド部４３と第３実施形態のスライド部４３Ｂとを取り替え可能に構成してもよい。これにより、ユーザーは、表示部４のみを発光させることができるとともに、表示部４及びポップアップ部３のＥＬ発光部の両方を発光させることができる。更に、接続部の位置や形状が異なる複数のスライド部を用意することによって、デザインの自由度を向上させることができる。
【００６５】
また、ユーザーが、ＩＴＯインクを塗布するペン等の導電性材料塗布手段によって、スライド部４３Ｂの接続部４７Ｂａ、４７Ｂｂを形成できるようにしてもよい。これにより、ユーザーの好みに、より柔軟に対応することができる。
【００６６】
また、配線７Ｂを省略してもよい。この場合、印刷部２の開く角度によって、接点部４１、４２が、接続部４７Ｂａによって接続される状態と、接続部４７Ｂｂに接続される状態が生じる。これにより、印刷部２が閉じた状態から完全に開くまでに、表示部４が２度点灯することになる。この結果、折り畳み印刷物１のエンターテイメント性を向上させることができる。更に、スライド量を増やし、接続部を増やすことによって、点灯回数を増やし、パルス信号にすることもできる。
【００６７】
また、配線７Ｂも表示部４に接続してもよい。ここで、接点部４１（４２）と接点部４１Ｂ（４２Ｂ）との間の間隔と、接続部４７Ｂａと接続部４７Ｂｂとの間隔を異ならせることで、スライド量の増大を抑えつつ、点灯の回数を増加させることができる。
【００６８】
以上、実施形態を用いて本発明を詳細に説明したが、本発明は本明細書中に説明した実施形態に限定されるものではない。本発明の範囲は、特許請求の範囲の記載及び特許請求の範囲の記載と均等の範囲により決定されるものである。以下、上記実施形態を一部変更した変更形態について説明する。
【００６９】
例えば、上述した実施形態における形状、材料、数値等は適宜変更可能である。
【００７０】
また、上述した実施形態では、無機ＥＬ材料を含む発光層を有する表示部（ＥＬ発光部）を例に示したが、有機ＥＬ材料を含む発光層やＬＥＤ（発光ダイオード）を有する高効率フレキシブル導光板等によって構成される表示部を適用してもよい。更に、有機ＥＬ材料やＬＥＤを採用する場合は、直流電力によって駆動できるので、電源部を簡略化することができる。
【００７１】
また、上述した実施形態では、２頁の折り畳み印刷物に本発明を適用したが、複数頁の折り畳み印刷物に本発明を適用してもよい。
【００７２】
また、上述した実施形態では、透明電極を所望の形状にすることによって、発光領域をパターニングしたが、発光層や他の層によって発光領域をパターニングしてもよい。
【００７３】
また、スライド部に形成される接続部や配線に形成される接点部の形状、個数、位置等は、適宜変更可能である。
【符号の説明】
【００７４】
１     折り畳み印刷物
２     印刷部
２ａ   折り線
３     ポップアップ部
３ａ   折り線
４     表示部
５     電源部
６、７、７Ｂ  配線
７ａ、７ｂ、７Ｂａ、７Ｂｂ  配線部
８、８Ａ、８Ｂスイッチ
１１   左側印刷部位
１２   右側印刷部位
２１   背面電極
２２   誘電体層
２３   発光層
２４   透明電極
２５   保護層
２６   電極部
２７   電極部
３１   回路部
３２   蓄電部
４１、４１Ｂ、４２、４２Ｂ  接点部
４３、４３Ａ、４３Ｂ スライド部
４４、４４Ａ  押圧部
４６   基材
４６ａ 取り付け領域
４７、４７Ａ、４７Ｂａ、４７Ｂｂ   接続部
４８   凸部
４９   接続部
【図１】
2010240878.tif 000003
【図２】
2010240878.tif 000004
【図３】
2010240878.tif 000005
【図４】
2010240878.tif 000006
【図５】
2010240878.tif 000007
【図６】
2010240878.tif 000008
【図７】
2010240878.tif 000009
【図８】
2010240878.tif 000010